(57)【要約】【課題】本発明は、上述した最先端技術の不備な点を除去するために、全く新しいビル監視用装置及びその方法を作り出すことを目的とする。【解決手段】本発明は、ビルの消費電力量(１)が測定され、測定データが通信回線(２)を介して所望の通信相手に送信される電力量測定に関する方法において、RFIDデバイス(３, 13, 15)は、ビルに関する情報の生成及び読み取りを行うために使用され、前記情報は、消費電力量情報のみならず、ビルの監視及び状態に関する情報も有し、電力計(１)及び前記電力計の通信回線(２)は、RFIDベースのビルに関する前記情報を転送するために使用される電力量測定に関する方法及びその装置を提供することを特徴とする。【選択図】図１
2009538013.tif 000002
【特許請求の範囲】
【請求項１】
ビルの消費電力量(１)が測定され、
測定データが通信回線(２)を介して所望の通信相手に送信される電力量測定に関する方法において、
RFIDデバイス(３, 13, 15)は、ビルに関するビル情報の生成及び読み取りを行うために使用され、前記ビル情報は、消費電力量情報のみならず、ビルの監視及び状態に関する情報も有し、
電力計(１)及び前記電力計の通信回線(２)は、RFIDベースの前記ビル情報を転送するために使用されることを特徴とする電力量測定に関する方法。
【請求項２】
電力分配導体は、ビル内のRFIDベースの前記ビル情報の送信路(39)として使用されることを特徴とする請求項１に記載の電力量測定に関する方法。
【請求項３】
前記電力分配導体である前記送信路(39)に容量的にまたは直流的に接続された、パッシブ型RFID検出器またはパッシブ型RFIDセンサーである少なくとも１つのRFIDデバイス(13)が使用されることを特徴とする請求項１または２に記載の電力量測定に関する方法。
【請求項４】
他のシステムにRFIDベースの前記ビル情報を転送するための接続ユニット(４,６)を備えることを特徴とする請求項１〜３のいずれかに記載の電力量測定に関する方法。
【請求項５】
前記電力計(１)でRFID信号がフィルタリングされることで、前記RFID信号が他の監視システムに波及しないことを特徴とする請求項１〜４のいずれかに記載の電力量測定に関する方法。
【請求項６】
壁コンセントがRFID素子を備えることを特徴とする請求項１〜５のいずれかに記載の電力量測定に関する方法。
【請求項７】
家電製品のRFIDデバイス(21)と通信することを特徴とする請求項１〜６のいずれかに記載の電力量測定に関する方法。
【請求項８】
ビルの消費電力量を測定する測定手段(１)と、
測定データを所望の通信相手に送信するための通信手段(２)とを備える電力量測定に関する装置において、
ビルに関するビルデータの生成及び読み取りのためのRFIDデバイス(３, 13, 15)と、
電力計(１)及びビルに関するRFIDベースのビル情報の制御ユニットとして機能する前記電力計(１)の通信回線(２)とを備え、
前記ビル情報は、消費電力量情報のみならず、ビルの監視及びビルの状態に関する情報も有することを特徴とする電力量測定に関する装置。
【請求項９】
ビルのRFIDベースの前記ビル情報の送信路は電力分配ケーブルであることを特徴とする請求項８に記載の電力量測定に関する装置。
【請求項１０】
パッシブ型RFID検出器または前記電力分配導体である前記送信路(39)に容量的にまたは直流的に接続されたパッシブ型RFIDセンサーである少なくとも１つのRFIDデバイス(13)を備えることを特徴とする請求項８または９に記載の電力量測定に関する装置。
【請求項１１】
他のシステムにRFIDベースの前記ビル情報を転送するための接続ユニット(４,６)を備えることを特徴とする請求項８〜10のいずれかに記載の電力量測定に関する装置。
【請求項１２】
前記電力計(１)は、RFID信号をフィルタリングするフィルターを備えることで、前記RFID信号が他の監視システムに波及しないことを特徴とする請求項８〜11のいずれかに記載の電力量測定に関する装置。
【請求項１３】
壁コンセントがRFID素子を備えることを特徴とする請求項８〜12のいずれかに記載の電力量測定に関する装置。
【請求項１４】
家電製品のRFIDデバイス(21)と通信するための設置がなされていることを特徴とする請求項８〜13のいずれかに記載の電力量測定に関する装置。
【請求項１５】
ビル監視システムの制御及び通信ユニットとしての電力計(１)の使用。
【発明の詳細な説明】
【技術分野】
【０００１】
本発明は、請求項１の前段に係るビル監視方法に関するものである。
【０００２】
また、本発明は、ビル監視用装置に関するものである。
【０００３】
この種の装置及び方法は、総合的なビル監視システムが必要な場合に、家庭、コンドミニアム、及びショッピングセンターで使用される。
【背景技術】
【０００４】
電力会社は、自動測定（AMR: Automatic Meter Reading）に移行中であるが、電力会社の観点からすれば、自動測定システム自体では、リモート測定への投資を正当化することは困難である。そこで、リモート測定に関連して、測定を１時間おきにさえ実行でき、電気の品質も管理できるようにする提案が行われている。原理的に、他の特性や低電圧線網の欠陥状態をリモートで測定可能な電力メーターを介して監視可能である。自動測定技術は一般的になってきており、北欧諸国では、次の５年以内で、北欧の家庭は自動測定の使用に移行すると見られている、その一方で、EU諸国における変化は、北欧の変化に比べて少しばかり遅くれていると見られている。自動測定がGPRS（General Packet Radio Service : 汎用パケット無線システム）データ送信に基づいたものであれば、データ送信速度は他のサービスも提供するのに十分なものである。
【０００５】
RFID（Radio Frequency Identification: 無線自動識別）技術は、世界で最も進化の速い分野の１つである。物流と生産の自動化では、UHF周波数の使用が始まっている一方で、発券及び支払に関しては13.56MHz周波数帯の使用に全面移行されている。近距離無線通信（NFC: Near Field Communication）の協議会を通じて、無線周波数帯域の読取装置が携帯電話に搭載され始めており、2010年までに、UHF周波数も読み取り可能な携帯電話の登場が予想されている。消費者及び装置メーカーの観点からすると、将来的に、安価なRFIDトランスポンダー（現在の最低価格は0.05ユーロ）、回路系列、及び読取装置が利用可能になることが重要な点である。将来のユーザーインターフェースもRFIDに基づいて搭載される。
【発明の開示】
【発明が解決しようとする課題】
【０００６】
宅内の自動化に関して長い間論じられているが、この分野における大幅な躍進は見られない。実際、GRPSベースの出入監視と制御システムとが別々となった部分的に無線化されたPCベースのシステムなど利用可能である。高齢者をモニターするいくつかの解決策が提案されてきた。これらのシステム全ては、技術的に稚拙なもの、別々のインフラを必要とするもの、または高価なものである。さらに、統一基準の欠落により、消費者に対して積極的にこれらのシステムの導入を進められずにきた。自動化に関して、家庭内での自動システムと、家電製品と使用者との間のユーザーインターフェースに基づくシステムとは、互いに歩み寄らないままである。例えば、現行のシステムも、不必要に複雑なシステムを有する商品により妨げられているため、例えば、家庭の電化システムにおける不良や欠陥は、または煙探知機などでは、便利さや快適さより非常に重要なことであるにも関わらず、使用者にとって本当に重要なことは表に出てこない。その一方で、冷蔵庫の内容物の監視のことが話題となっている。
【０００７】
従来技術によると、RFIDモジュールは、電力計から読取装置にデータを送信するために使用されている。
【０００８】
ビル監視は、有線または無線センサーのどちらかを用いて、センサーのデータを中央装置に集積するような方法により実施され、そこから、それらのデータは、特に警報時において、通信リンクを介して通信相手に転送される。そのため、既知のビル監視システムは、個々の中央装置と同様にそれと通信可能なセンサーも必要とする。このようなシステムは高価となり、導入作業も難しく高価なものとなる。
【０００９】
本発明は、上述した最先端技術の不備な点を除去するために、全く新しいビル監視用装置及びその方法を作り出すことを目的とする。
【課題を解決するための手段】
【００１０】
本発明は、電力網のケーブルを介して、電力計内のRFIDまたは同様の技術を用いる読取装置が、RFIDまたは同様の技術を用いるセンサーを読み取るために使用され、リモートで読取可能な電力計の既存の通信回線を用いてデータを転送するような方法により、リモートで読取可能な電力計を中心にシステムを構築することに基づいている。
【００１１】
さらに詳しくは、本発明に係る方法は、請求項１の特徴部分に記述してあることにより特徴付けられる。
【００１２】
本発明に係る装置は、請求項８の特徴部分に記述してあることにより特徴付けられる。
【００１３】
また、本発明は電力計の使用にも関連する。
【００１４】
本発明を用いることで、相当な利点が得られる。
【００１５】
本発明に係る構成により、従来からビル監視に使用されている中央装置を完全に排除することができる。例えば、電源ケーブル不良を簡単に検出可能な可読性を有するような非常に安価なパッシブ型RFID（無線）タグなどが、電力網の配線を介して接続可能である。また、システムにより、読み取り用の複雑なセンサーまたはセンサーシステムが、電力計により非常に安価に接続可能である。さらに、このシステムの利点は、設置の簡便さ及び安価なRFID電子技術である。
【００１６】
例えば、移動局を用いたセンサー読み取りの実施において、電力計をバイパスするために使用可能な付加的なインターフェースをシステムに組み込むことが容易である。
【００１７】
以下において、実施例を用いることと添付の図面を参照することにより、本発明を検討する。
【００１８】
出願人が以前出願した芬国特許出願公開第20051244号明細書は、本願を出願した時点において公開されていなかったが、携帯電話及びRFIDプロトコルを使用する方法が開示されており、電力計の測定値及び品質のデータを電力会社に送信することができる。
【００１９】
本発明によって、とりわけ、パッシブ型RFID検出器またはパッシブ型RFIDセンサーを用いて、例えば、家庭及び公共のビルを監視するビル監視システムを構築するために同様の技術を用いる方法が開示される。
【００２０】
消費者の観点からホームオートメーションを考察する場合、消費者は、一方で簡単で単純なユーザーインターフェースを有する家庭の電化システム及びデバイスを求めながら、もう一方で、所定の基本機能の自動化を求めているため、ユーザーは不良状態の可能性以外にそれらに関して心配する必要がない。例えば、電化製品の複雑な機能のほとんどは使用されないままであり、それは、多様性の塊であるコンピューターがそうであるように、ほとんどの消費者が電化製品を制御することに関心を持っていないためである。
【００２１】
本明細書は、機械とユーザーとの間のインターフェースと、自動操作制御と同様に機械間での不良状態の自動検知との両方に関する包括的なレベルにおける基盤を備える解決手段を提示する。また、ビル監視業務の一部及びそれらに要する機器の一部を第三者へ委託することも可能であるが、本明細書において説明する技術的な解決手段には必ずしも必要なものではない。
【発明の効果】
【００２２】
本発明は、ビルに関連する全ての監視が実行可能な手段により、非常に経済的なビルの自動化システムを構築するために、ビルで稼働中の自動測定システムとRFID技術とを組み合わせるシステムを作製することを目的とする。また、ビルの人員は、彼ら自身の有する端末デバイスによりシステムへの接続を行う。最終的な目的は、ビル内の全ての壁コンセント及びデバイスがシステムの傘下に収まることである。このようにして、必要であれば、非常に経済的に全ての部屋と人員とを情報ネットワークに接続可能である。
【００２３】
本発明の中心的な考えの一つとして、RFID読取装置を備える自動測定装置をビル監視システムの中心装置として及び外部との通信インターフェースとして使用することである。その一方で、自動測定装置は、電力供給網を介して安価なRFIDタグまたは制御デバイスと通信するためにRFID読取装置を使用する。後者のRFID装置は、電力供給網に容量的または誘導的にどちらかで接続される。
【発明を実施するための最良の形態】
【００２４】
図１は、GPRSベース（将来における3Gまたは他の適度な速度を有する携帯電話データ送信システム）のリモート読取システムが電力計に接続されている状態を示している。また、電力計はRFID読取装置（NFCフォーラムにより使用される周波数及び場合によってはUHF周波数の両方）を備えることを前提とする。この場合、電力計に接続されたRFID読取装置３は、リモート検出器及び他のリモート検出器を読み取る読取装置として両方を操作する回路を参照する。開発されたシステムは、GPRS２及び読取装置３のみでなく、個々のプロセッサーまたは組み込みプロセッサー及び十分なメモリーも備える。RFID信号は、それぞれの位相コンダクター10に関連づけられ、また変流器を用いて接地導体11と保護導体12（必須ではない）との間でも関連づけられる。RFID信号がビルの電気システムから外に漏れないようにフィルターを使用する。望ましくは、ローパスまたは帯域防止フィルターなどを自動測定装置の監視システムのアウターインターフェースに、例えば図1の上部左端に示されているようにできる限り供給ネットワークに隣接して設置する。
【００２５】
電力網内を巡回しているRFID情報を、例えば読み取り用に、読取装置を備える移動局９に移動させることができることにより、例えばRFIDインターフェース６をシステムに接続することができる。それに対応して、自動測定ユニット１が従来技術のシステムと通信可能であることにより、自動測定ユニット１は無線通信インターフェース４を形成できる。これらの技術は、図１のユニット７及びユニット８に示されているBluetooth, 無線LAN、及びZigBeeを含んでいる。
【００２６】
RFIDユニット13は、図に従って位相コンダクター10、接地導体11、及び保護導体12に接続する場合、直接、壁コンセントに接続可能である。次いで、状態及び例えばコンセントにあるデバイス14の電力が測定され、問題または危険な状態である場合に、スイッチ17が電力を停止するために使用可能である。
【００２７】
それに対応して、家電製品15は、スイッチ22を制御するために接続可能な直流RFID回路を備えることができる。
【００２８】
システムは以下のように操作可能である。
【００２９】
セキュリティーカメラのような装置は、直接に自動測定ユニット1に接続可能であるが、それらにはユニークなRFID識別子情報を有している。無線接続４は、自動測定ユニット１に接続可能であり、例えば、ビル内のZigBeeベースの自動化システム７，８は、自動測定ユニット１のGPRSモジュール２を介して外部ネットワークに接続可能である。有線ネットワークも、追加デバイスをシステム（メモリーユニット、コンピュータなど）に接続するために、自動測定ユニット１に接続可能である。
【００３０】
RFID識別子または監視ユニット14は、位相コンダクター10、接地導体11及び保護導体12と接地との間において、ネットワークの壁コンセントに接続される。このシステムを用いることにより、各壁コンセントがネットワークの一部となるが、ネットワーク内での位置は、別の情報がなければ検知されない。この情報は、RFID読取装置（携帯電話）９に転送可能であり、例えば、台所の識別子がRFID回路13に書き込まれるか、またはRFID読取装置９がこのためにリモート検出器と通信して、壁コンセントのRFID読取装置または直接電力計のメモリーに情報を転送する。位相コンダクター10または接地導体11において、阻まれているRFID検出器の第２読み取り中に通電される。位相コンダクター10及び／または接地導体11において、第２位相コンダクターに通電される。システムの精度は、さらにRFIDを検出するための電力量によって決まる。２つのルートを介して適切に接続された壁コンセントのRFID信号を一体化することにより、１つのRFID識別子のみで不良の検出が可能となる。アンテナがコンセント内のRFID回路に接続されている場合、RFID回路の動作及びそのコンセントへの電力の供給は、別のRFID読取装置（携帯電話）９を用いることによっても確認可能であり、２つのRFID回路がコンセントに接続されている場合、不良状態は他のRFID回路のメモリー内に登録可能である。これは、デバイスが壁コンセントに接続されるたびに、配線への損傷の可能性が確認可能であることを意味する。別々に配置することにより、自動測定ユニット１も、問題となる電力源に電力が接続されるRFID回路のメモリー内に書き込み可能であり、そのため消費者はこの情報を受け取るために個別の電力計を必ずしも必要としない。また、RFID検出器を備えるコンセントに接続されたRFIDも、コンセント内のプラグに接続されたアダプターで置換可能である。これにより、旧型のコンセントがシステムの範囲内に接続されることも可能となる。RFID回路は、誘導的にまたは容量的にいずれかでネットワークに接続されることに関して注目すべきであり、誘導的に接続される場合では接続は高周波電流に対して比例し、容量的に接続される場合では接続されたフィールドが電圧に比例する。また、これにより、デバイスが（大抵は容量的に）高周波信号を取り込むため、デバイスが電源を投入されているかどうかを監視することができる。高周波信号及びUHF周波数を使用する場合、容易な監視システムを提供できるさらなる可能性がある。
【００３１】
ドアや窓が閉まっているかを監視することは、別々の短絡回路または共振回路をRFID回路に接続するような方法により実施可能である。例えば、ドアが閉まっている場合、共振周波数が13.56MHzでは、別のNFC周波数域に移行するか、またはUHF周波数が869MHz域から新たな865MHz周波数帯に移行するような方法などである。また、例えば、洗浄機の水漏れなどは、水浸しになると、その動作が妨げられ、自動測定ユニット１が不良状態を検知するような方法のRFID検出器のうちの１つを組み込むような方法により、検知可能である。周波数の変更またはRFID回路内で発生する接続の低下を利用することで、いくつかの単純な事柄について監視可能である。例えば、室温の閾値を超えること、ドアと窓の戸締まり、デバイスを電源入力したままかどうか（RFID回路越しにネットワークに誘起する電圧）、浸水などが検知可能である。
【００３２】
センサー（温度、湿度、・・・）と同様、例えば、リレー、電流測定及び／または電力測定などのいわゆるセミパッシブ型リモート検出器は、コンセントまたは別々のアダプターに接続可能である。例えば、これにより、各個別のコンセントが電力計を介するかまたは直接電話によるかのどちらかにより、スイッチのオン／オフができる。また、これにより、損傷を最小に押さえるために、意図的に使用を始めたものでない全てのコンセントもスイッチのオン／オフができる。それに対して、これにより、どのデバイスを、携帯電話（RFID）を直接使用するかまたはネットワーク会社のサーバーを介するかのどちらかによって、GPRSを介してネットワークから接続を外すことができる。同様な特徴も、コンセントを介して流れてきた電流または電力の測定に影響を与えられ得る。また、電力の使用も、例えばインターネットを介するようなネットワーク会社のサーバーと同様に、携帯電話を使用して直接コンセントから、携帯電話を使用して電力計を介して、または携帯電話でGPRSを使用して、調べることができる。
【００３３】
RFID読取装置及びアンテナは、コンセント、別々のアダプター、またはコンダクターの一端に位置する端末に接続される。これにより、家庭内にあるどの携帯デバイスも、システムに接続可能である。無線周波数を用いて操作を行う場合、距離は適度に短いが、UHFを用いることで距離を少し長くすることができる。これにより、どの場所からも、例えば医療センターからシステムを介して、システム制御デバイス、データ読取デバイス、または測定デバイス（バイオセンサー、血圧センサー、・・・）に接続することができる。
【００３４】
RFIDプロトコルを用いたセンサーは、コンセントまたはアダプターに接続される。センサーのデータ（室温、湿度、煙、・・・）は、直接にセンサーから携帯電話に読み取り可能であるか、データが、自動的にシステム内の別のデバイスを制御可能であるか、電力計のGPRSにより直接持ち主の携帯電話に送信される不良状態通知をセンサーデータが開始可能であるか、またはデータがネットワーク会社のサーバーが警報またはシステムなどを制御する操作を開始するためのデータを読取可能であるかのいずれかである。
【００３５】
電気を使用するデバイス（照明器具、家電製品、エアコンシステム、・・・）において、RFID読取装置またはRFIDプロトコルを用いた不良検出器、及びセンサーデータを読み取るかまたは機械を制御するリモート検出器がある。これは上述したように使用可能であるが、RFIDプロトコルを用いて機械に接続されたコネクターにより、機械から電話を通じてか、RFIDプロトコルを用いてか、GPRSを用いてか、またはインターネットを介して、機械の全ての機能を監視可能である。
【００３６】
本発明に係るシステムにより許可された機能を、例えば図２を参照しながら、以下に説明する。
【００３７】
ビルに設けられた全てのコンセント及びデバイスは自動的に認識され、直接システムから変更作業を見ることが可能である。コンセントまたはデバイスのビル内での位置は、手動または電話及びTouchMeのユーザーインターフェースにより入力しなければならない。
【００３８】
電力系統の最大負荷は自動的に認識可能である。
【００３９】
システムを用いることで、とりわけ以下の事柄に関する検知及び監視を実行することができる。
・  接地への短絡、保護導体の欠陥、及び他の機器の欠陥に関して、感知及び監視可能である。
・  フューズ
・  変更作業中における電源投入時の状態
・  リレーの位置
・  煙・火災警報機
・  出入監視（赤外線カメラ）、ドアの開放など
・  湿損
・  水漏れ
・  室温監視
・  デバイスの電力消費量及び障害
【００４０】
また、本発明に係るシステムにより、とりわけ以下の機能の制御及び監視ができる。
・  自動的にまたは携帯電話をもちいるかのどちらかにより電気及び水道を遮断
・  自動的にまたは携帯電話をもちいるかのどちらかによりデバイスのオンまたはオフ
・  コンピューターの電源投入
・  エアコンの調整
・  既存または新規の無線システムをグローバルな情報ネットワークに接続
・  RFID技術ベースによる高齢者または子供の出入監視
・  センサーを身につけた人物の位置または健康状態の監視
・  ペット監視
【００４１】
システムは、とりわけ以下用途で家庭内のセンサーシステムに使用可能である。
・  在宅医療
・  血圧測定、血液、唾液及び尿のサンプルの測定とデータ転送
・  ビルの湿度センサー、室温センサー、二酸化炭素含有量、全エネルギー消費量、デバイス特定のエネルギー消費量
【００４２】
システムは、ユーザーインターフェースとして家電により使用可能である。
・  RFIDカバーにより、製造業者がwwwまたはWAPアドレスをRFIDのメモリーに追加することができ、それにより、消費者は、デバイスにおいて不良箇所の修理の付加情報を取得するかまたはサービスを手配するために電話を使用可能である。
・  例えば、デバイスに触れることで、デバイスに関するセンサーデータを直接読み取る（エネルギー消費量、フィルターの状態）。
【００４３】
システムは、サービス会社事業でも以下のように使用可能である。
・  ネットワーク会社またはそのネットワーク会社と契約のある会社は、システムを用いてビルの持ち主に対して、とりわけ不良状態監視、家電製品監視、電力消費量監視、盗難及び煙警報、セキュリティーカメラ監視、ドア及び窓の施錠監視、電気製品のスイッチのオンまたはオフなどのサービスを行うことができる。
・  システムがホームコンピュータに接続されている場合、ソフトウェア会社は、家及び家電製品の監視用の消費者向けのソフトウェアを開発可能である。
【００４４】
図２に関する要約として、本発明に係るシステムは、読取装置に組み合わせたハンドセット30を用いて、例えば新聞31及び他の印刷媒体から、個別のデータをスキャンするために使用される。ハンドセット30は、例えば娯楽電子機器31bをBluetooth、赤外線送信、またはRFIDプロトコル（TouchMe）を用いて制御するために使用可能である。また、同じハンドセット30は、ビル監視33または医療34を行うために使用可能であり、無線デバイス35も制御可能である。また、ハンドセット30は、製品情報の検索、商品の検索、またはリサイクルに関する件についての調査、家庭のメーター37の読み取り、または家電製品38の制御のような家庭36内の一般的なことに対処するために使用可能である。電力供給網は、送信路39として機能する。サービスプロバイダー40は、自動測定ユニット１または移動局41を用いて直接通信可能である。自動測定ユニット１及びハンドセット30は、ホームPCデバイスに及びその通信回線42に接続可能であり、ホームPCはプリンター43及びモニター44にも接続されている。
【００４５】
このアプリケーションにおいて、RFIDデバイスの用語は、読み取り時の電磁エネルギーのみから駆動エネルギーを受け取るパッシブ型RFIDタグ（RFID検出器）とアクティブ型及びセミアクティブ型タグ（検出器）の両方を示す語である。
【００４６】
そのため、この接続において、RFIDデバイスは個別のRFIDタグとすることも可能である。
【００４７】
そのため、本発明によれば、ビル監視及びシステム制御の両方を実施可能であり、またビルの電化製品及びデバイスとビルのユーザー間のユーザーインターフェースの構築も可能である。
【００４８】
本発明の好適な実施形態は、電力分配導体（電流導体）送信路として使用する。それらに加えて、またはそれらを完全に置き換えて、送信路として別々のコンダクターを使用することも可能である。
【００４９】
また、例えば、デバイス内または電化製品内のRFIDデバイスは、アクティブに情報を転送することができる場合など、システムにより双方向通信が可能である。これにより、例えば煙警報機に関連する操作モードも可能である。
【図面の簡単な説明】
【００５０】
【図１】本発明に係る図式化されたシステム図である。
【図２】本発明に係る図式化されたシステム動作図である。
【符号の説明】
【００５１】
以下の用語は図１中で用いられるものである。
【００５２】
１      自動測定ユニット
２      リモート読取ユニット
３      RFIDユニット
４      無線インターフェース
５      フューズ
６      RFIDインターフェース
７      ZigBee1
８      ZigBee2
９      RFID読取装置を備えた移動局
10      相導体
11      接地線
12      保安接地線
13      RFID監視ユニット
14      電力測定及び状態監視ユニット
15      家電製品
16      RFID監視ユニット制御手段
17      スイッチまたはブレーカー
18      電力測定
19      スイッチまたはブレーカー
20      壁コンセントに接続された製品
21      家電製品RFID制御手段
22      スイッチまたはブレーカー
30      手動制御装置
31      雑誌
32      娯楽電子機器
33      ビル監視
34      医療
35      無線機器
36      家庭でのこと
37      家庭用メーター
38      家電製品
39      RFID送信チャンネル（電力ケーブル）
40      サービスプロバイダー
41      携帯電話
42      通信回線
43      プリンター
44      モニター
【図１】
2009538013.tif 000003
【図２】
2009538013.tif 000004
【国際調査報告】
2009538013.tif 000005
2009538013.tif 000006
2009538013.tif 000007
2009538013.tif 000008